(57)【要約】【課題】ほぼ円筒形状の集塵容器を装着部に装着する際に、容易に装着することができる電気掃除機を提供する。【解決手段】一端が吸込口体３２に連通すると共に他端に吸気連通口３３が形成された第１吸込風路３０と、周面４１ｂには流入口４３が形成され、上面には上部開口４１ａが形成されたほぼ円筒形状の集塵容器４０と、電動送風機２３の吸気側に連通する吸込開口２５ａを有する装着部２５が形成された第２吸込風路２６とを備え、流入口４３と吸気連通口３３とを対向させると共に、上部開口４１ａと吸込開口２５ａとを連通させるように、集塵容器４０を装着部２５に着脱可能に設けた電気掃除機であって、装着部２５又は集塵容器４０のどちらか一方に吸気連通口３３と流入口４３とを対向させる位置決部５１を設け、他方にこの位置決部５１に当接する当接部５０を設けた。【選択図】　　図２
2004089379.tif 000002
【特許請求の範囲】
【請求項１】
一端が吸込口体に連通すると共に他端に吸気連通口が形成された第１吸込風路と、周面には流入口が形成され、上面には上部開口が形成されたほぼ円筒形状の集塵容器と、電動送風機の吸気側に連通する吸込開口を有する装着部が形成された第２吸込風路とを備え、
前記流入口と前記吸気連通口とを対向させると共に、前記上部開口と前記吸込開口とを連通させるように、前記集塵容器を前記装着部に着脱可能に設けた電気掃除機であって、
前記装着部又は前記集塵容器のどちらか一方に前記吸気連通口と前記流入口とを対向させる位置決部が設けられ、他方に該位置決部に当接する当接部が設けられたことを特徴とする電気掃除機。
【請求項２】
請求項１に記載の電気掃除機において、前記集塵容器は前記上部開口を覆うフィルタを保持したフィルタ枠を有し、前記位置決部は前記フィルタ枠に設けられたことを特徴とする電気掃除機。
【発明の詳細な説明】
【０００１】
【発明の属する技術分野】
この発明は、電動送風機の吸気側に連通する装着部に着脱可能に装着される集塵容器を備えた電気掃除機に関するものである。
【０００２】
【従来の技術】
従来の電気掃除機としては、図４に示すようなものが知られている。
【０００３】
この電気掃除機１は、いわゆるアップライト型の掃除機であり、上下方向に長く延びた細長形状の掃除機本体２と、この掃除機本体２に設けられて上下方向に延びた第１吸込風路３と、掃除機本体２に着脱自在に装着されるほぼ円筒形状の集塵容器４とを備えている。
【０００４】
掃除機本体２は、ほぼ円筒形状を呈した中空のケース体５と、上方に向かって延在されたハンドル体６とを有している。そして、ケース体５には、電動送風機５ａが吸込口５ｂを下方に向けた状態で配設されている。さらにケース体５の内部には、装着部７が形成された図示しない第２吸込風路が設けられている。この装着部７は、ケース体５の下方に開放すると共に、吸込口５ｂに連通した吸込開口７ａを有している（図参照）。
【０００５】
また、第１吸込風路３は中空に形成され、一端である下端部には吸込口体８が着脱自在に設けられている。また、図５に示すように、この吸込風路３の他端の側面には、装着部７の下側に向かって開口する吸気連通口３ａが形成され、この吸気連通口３ａの下側には、集塵容器４が係合する係合部３ｂが設けられている。
【０００６】
そして、ケース体５の周面には、吸気連通口３ａと対向して位置する合わせマークＡが設けられている。
【０００７】
集塵容器４は、掃除機本体２に装着した際に、吸気連通口３ａに接続される流入口４ａが周面４ｂに形成されると共に、装着部７に連通される上部開口４ｃが上面に形成されている。また、流入口４ａの下側には、係合部３ｂに係合する被係合部４ｄが設けられている。
【０００８】
そして、集塵容器４の周面４ｂには、流入口４ａと対向して位置する合わせマークＢが設けられている。
【０００９】
このような電気掃除機１を使用するには、あらかじめ掃除機本体２に集塵容器４を装着しておく。このとき、装着部７と上部開口４ｃとを接触させながら、ケース体５に設けられた合わせマークＡと集塵容器４に設けられた合わせマークＢとが同軸上に位置するように、目視で確認しながら集塵容器４を周方向に回転させる。これにより吸気連通口３ａと流入口４ａとを対向させてから、係合部３ｂと被係合部４ｄとを係合させ、集塵容器４を装着する。
【００１０】
【発明が解決しようとする課題】
しかしながら、上述の電気掃除機１では、ほぼ円筒形状の集塵容器４を装着する際に、合わせマークＡ、Ｂを目視で確認しながら位置決めをするので、簡単に装着することが困難であった。
【００１１】
特に、集塵容器４を床面に近い位置に装着する場合では、作業位置が低くなって合わせマークＡ、Ｂを目視で確認しにくく、さらに集塵容器４を装着することが困難になっていた。
【００１２】
また、装着部７と上部開口４ｃとを接触させながら、吸気連通口３ａと流入口４ａとを対向させるために集塵容器４を周方向に何度も回転させると、装着部７や上部開口４ｃに傷がついたり、これらの密着性が低下するおそれもあった。
【００１３】
この発明は、上記問題に鑑みてなされたものであり、ほぼ円筒形状の集塵容器を装着部に装着する際に、容易に装着することができる電気掃除機を提供することを目的としている。
【００１４】
【課題を解決するための手段】
上記課題を解決するために、この発明の電気掃除機は、一端が吸込口体に連通すると共に他端に吸気連通口が形成された第１吸込風路と、周面には流入口が形成され、上面には上部開口が形成されたほぼ円筒形状の集塵容器と、電動送風機の吸気側に連通する吸込開口を有する装着部が形成された第２吸込風路とを備え、流入口と吸気連通口とを対向させると共に、上部開口と吸込開口とを連通させるように、集塵容器を装着部に着脱可能に設け、装着部又は集塵容器のどちらか一方に吸気連通口と流入口とを対向させる位置決部が設けられ、他方にこの位置決部に当接する当接部が設けられたことを特徴としている。
【００１５】
この発明によれば、集塵容器を装着部に装着する際に、位置決部と当接部とを当接させることで、吸気連通口と流入口とを対向させることができる。これにより、目視によって集塵容器の周方向の位置を確認しなくとも、集塵容器を装着部に容易に装着することができる。
【００１６】
また、集塵容器の上部開口が装着部に接触した状態で、集塵容器を周方向に何度も回転させることなく装着することができるので、装着部や上部開口に傷がつくことが防止でき、これらの密着性の低下を防ぐこともできる。
【００１７】
【発明の実施の形態】
以下、図面に基づいてこの発明の実施の形態を説明する。
【００１８】
この発明の電気掃除機１０は、図１に示すように、上下方向に長く延びた掃除機本体２０と、掃除機本体２０に設けられて上下方向に延びた第１吸込風路３０と、掃除機本体２０に着脱可能に装着されたほぼ円筒形状の集塵容器４０とを備えている。
【００１９】
掃除機本体２０は、ほぼ円筒形状を呈した中空のケース体２１と、ケース体２１の側方に設けられると共に、上方に向かって延在されたハンドル体２２とを有している。
【００２０】
ケース体２１内には、下側から順に、電動送風機２３が配設された送風機室２３ａと、コードリール２４が回転自在に配設されたコード室２４ａとが区画形成されている。また、送風機室２３ａの外周壁には複数の排気口２３ｂが形成されている。さらに、この送風機室２３ａから下方に向かって第２吸込風路２６が延在されている。
【００２１】
電動送風機２３は、吸込口２３ｃを下方に向けた状態で保持ゴムＧによって保持されている。また、コードリール２４には、先端にプラグ２４ｂが設けられたコード２４ｃが巻きつけられている。
【００２２】
第２吸込風路２６は、下端部に装着部２５が形成されている。この装着部２５は、外気に開放すると共に、電動送風機２３の吸込側である吸込口２３ｃに連通した吸込開口２５ａを有している。そして、この装着部２５は、下方に向かって突出したほぼ環状の装着壁部２５ｂを備えている。
【００２３】
装着壁部２５ｂは、集塵容器４０の後述する蓋体４２の内径よりも僅かに小さい外径を有し、外周面２５ｂ´に一対の当接部５０が設けられている。この当接部５０は、第１吸込風路３０の後述する吸気連通口３３の軸線方向に沿って、互いに平行に延びた平坦な面に形成されている。また、吸込開口２５ａには、網部材２５ｃが設けられて吸込開口２５ａを覆っている。
【００２４】
ハンドル体２２は、下端部にヒンジ２２ａが設けられ、ケース体２１の反対側（図１において左側方向）に向かって回動自在にされている。また、上端部には握り部２２ｂ及びスイッチＳが設けられている。このスイッチＳを入れると電動送風機２３が駆動する。
【００２５】
第１吸込風路３０は、ハンドル体２２の下端部近傍から下方に向かって延在された中空管であり、この第１吸込風路３０の一端である下端部には吸込口体３２が着脱自在に取り付けられている。また、第１吸込風路３０の他端の側面には、装着部２５の下側に向かって開口した吸気連通口３３が形成されている。そして、この第１吸込風路３０によって吸込口体３２と吸気連通口３３とが連通されている。
【００２６】
吸気連通口３３の周縁部には、ゴム製のパッキンＰが設けられている。さらに、吸気連通口３３の下側には、後述する被係合部４４が係合する係合部３４が設けられている。
【００２７】
集塵容器４０は、図２に示すように、上方に開放した上部開口４１ａが上面に形成されたカップ本体４１と、このカップ本体４１の上部開口４１ａに着脱自在に設けられる蓋体４２とを備えている。
【００２８】
カップ本体４１は有底のほぼ円筒形状を呈しており、周面４１ｂには側方に開口する流入口４３が形成されている。この流入口４３の周縁部にはゴム製の密着部材４３ａが設けられている。また、カップ本体４１の底面近傍で流入口４３の下側には、被係合部４４が設けられている。
【００２９】
蓋体４２は、両端が開口した円筒状の枠体４５と、枠体４５の内側を閉成するネット部材４６とを備えている。
【００３０】
枠体４５は、下端部４５ａが上部開口４１ａの内径よりも僅かに小さい内径にされており、この下端部４５ａが上部開口４１ａ内に嵌着される。また、この枠体４５の上端部の内径は、装着壁部２５ｂの外径よりも僅かに大きくされ、装着壁部２５ｂが挿入可能にされている。なお、カップ本体４１と蓋体４２との間には、蓋体４２の嵌着位置を規制する図示しない位置決機構が設けられている。
【００３１】
また、ネット部材４６は、枠体４５の下端部４５ａ側に設けられている。そして、このネット部材４６の上側には一対の位置決部５１が設けられている。
【００３２】
位置決部５１は枠体４５の内側に形成されており、蓋体４２をカップ本体４１に嵌着した際に、流入口４３の軸線方向に沿って、互いに平行に延びる平坦な面に形成されている。
【００３３】
次に、この電気掃除機１０の作用について説明する。
【００３４】
この電気掃除機１０を使用するには、掃除機本体２０にあらかじめ集塵容器４０を装着しておく。
【００３５】
掃除機本体２０に集塵容器４０を装着するには、まず、カップ本体４１の上部開口４１ａに蓋体４２を嵌着させる。このとき、図示しない位置決機構により蓋体４２の嵌着方向が決まり、流入口４３の軸線方向に沿って一対の位置決部５１が互いに平行になるように位置する。
【００３６】
そして、この集塵容器４０の上部開口４１ａを、掃除機本体２０のケース体２１の底面２１ａに向け、掃除機本体２０の下方から装着する。
【００３７】
このとき、まず、掃除機本体２０に設けられた装着部２５を、上部開口４１ａに嵌着された蓋体４２内に挿入する。ここで、装着壁部２５ｂに設けられた当接部５０と、蓋体４２に設けられた位置決部５１とが当接し、当接部５０と位置決部５１とがそれぞれ同方向に沿うこととなって、集塵容器４０の周方向の位置決めがなされる。
【００３８】
なお、装着部２５が蓋体４２内に挿入されると、装着部２５ａと上部開口４１ａとが接続され、掃除機本体２０内の電動送風機２３と集塵容器４０とが第２吸込風路２６を介して連通される。
【００３９】
また、当接部５０と位置決部５１とが同方向に沿うことにより、吸気連通口３３の軸線方向と流入口４３の軸線方向とが一致する。
【００４０】
そのため、吸気連通口３３と流入口４３とが対向して接続され、連通風路３０と集塵容器４０とが連通される。なお、このとき、吸気連通口３３の周縁部に設けられたパッキンＰと、流入口４３の周縁部に設けられた密着部材４３ａとが気密に当接し、空気が漏れ出ることが防止される。
【００４１】
そして、第１吸込風路３０に設けられた係合部３４と、集塵容器４０に設けられた被係合部４４とを係合させて、この集塵容器４０を固定する。
【００４２】
このように掃除機本体２０に集塵容器４０を装着した後に、スイッチＳを入れて電動送風機２３を駆動させる。電動送風機２３が駆動すると、吸気口２３ｃから空気が吸い込まれ、集塵容器４０内に吸込負圧が作用する。そして、この吸込負圧は第１吸込風路３０を介して、吸込口体３２内に作用する。
【００４３】
この状態で握り部２２ｂを握ってハンドル体２２を操作し、吸込口体３２を被清掃面上で移動操作する。そして、被清掃面上の塵埃が空気と共に吸込口体３２内に流れ込み、掃除を行っていく。
【００４４】
吸込口体３２から吸い込まれた塵埃及び空気は、第１吸込風路３０から吸気連通口３３及び流入口４３を介して集塵容器４０のカップ本体４１内に流入する。このとき、ほぼ円筒形状のカップ本体４１の内周面に沿いながら空気が渦流となる。そのため、塵埃が遠心力と自重との作用によって空気と分離し、カップ本体４１の下部に蓄積される。
【００４５】
一方、空気は、蓋体４２と装着部２５の吸込開口２５ａとを通過した後に、第２吸込風路２６を介して電動送風機２３の吸気口２３ｃに吸い込まれる。なお、カップ本体４１内で分離し切れなかった細塵は、ネット部材４６や網部材２５ｂ´によって捕捉される。そして、電動送風機２３内に吸い込まれた空気は、排気口２３ｂから外気に排気される。
【００４６】
このように、掃除機本体２０に設けられた装着部２５を、上部開口４１ａに嵌着された蓋体４２内に挿入する際に、集塵容器４０の周方向の位置決めがなされて、吸気連通口３３と流入口４３とを対向させることができる。そのため、目視により吸気連通口３３と流入口４３との位置を確認しながら対向させることなく、集塵容器４０を容易に装着することができる。
【００４７】
そして、装着部２５と集塵容器４０の蓋体４２とが当接した状態で集塵容器４０を周方向に回転させなくとも、この集塵容器４０の周方向の位置決めがなされるので、装着部２５や蓋体４２に傷がついたり、密着性が低下したりすることを防止できる。
【００４８】
以上、この発明に係る実施の形態の一つを図面により詳述してきたが、具体的な構成は上述の実施の形態に限らず、この発明の要旨を逸脱しない範囲の設計の変更等があってもこの発明に含まれる。
【００４９】
例えば、図３に示すように、集塵容器６０のカップ本体６１の上部開口６１ａに、図示しないフィルタを保持するフィルタ枠６２を着脱自在に設け、このフィルタ枠６２に一対の位置決部６３を設けてもよい。
【００５０】
この位置決部６３は、フィルタ枠６２に形成された多数の通気開口６２ａを閉成しない位置、つまりフィルタ枠６２の枠体６２ｂに、互いに平行になるように設けられた平坦な板状を呈している。そのため、空気の流れを阻害することがない上、フィルタ枠６２の枠体６２ｂの補強をすることもできる。
【００５１】
また、このフィルタ枠６２をカップ本体６１の上部開口６１ａに装着する際に、位置決部６３が流入口６５の軸線方向に沿って平行になるように、フィルタ枠６２には一対の係止爪６６が設けられている。この係止爪６６は、一対の位置決部６３を結ぶ直線と直交する直線上に設けられ、枠体６２ｂの周面から突出している。
【００５２】
一方、カップ本体６１の内周面には、係止爪６６が嵌合する一対の溝部６７が設けられている。この溝部６７は、流入口６５の軸線方向に沿って対向する位置に設けられている。
【００５３】
そして、係止爪６６を溝部６７に嵌合させることによって、位置決部６３が流入口６５の軸線方向に沿って平行になるようにフィルタ枠６２を装着することができる。
【００５４】
なお、集塵容器を装着部に装着する際に、この集塵容器を周方向に回転させることなく、吸気連通口と流入口とを容易に対向させることができればよいので、位置決部の形状は、上述のような互いに平行に延びる一対の平坦な面に限らず、集塵容器の内側面から内部に向かって突出するようなリブ形状であってもよい。一方、このような位置決部に当接する当接部も、位置決部が嵌合する形状に形成される。
【００５５】
さらに、上述の実施の形態では、いわゆるアップライト型の電気掃除機について説明したが、この発明は、集塵容器がキャニスタ型の掃除機本体に設けられた装着部に装着されるもの、或いは、集塵容器が延長管や吸込ホースに設けられた装着部に装着されるキャニスタ型のもののいずれにも適用可能である。
【００５６】
【発明の効果】
この発明によれば、ほぼ円筒形状の集塵容器を装着部に装着する際に、容易に装着することができる電気掃除機を提供することができる。
【図面の簡単な説明】
【図１】この発明にかかる電気掃除機の全体を示す断面図である。
【図２】この発明にかかる電気掃除機の掃除機本体の要部及び集塵容器を示す斜視図である。
【図３】集塵容器の他の例を示す斜視図である。
【図４】従来の電気掃除機の全体斜視図である。
【図５】従来の電気掃除機の要部を示す斜視図である。
【符号の説明】
１０　　　　　　　電気掃除機
２３　　　　　　　電動送風機
２５　　　　　　　装着部
２５ａ　　　　　　吸込開口
２６　　　　　　　第２吸込風路
３０　　　　　　　第１吸込風路
３１　　　　　　　吸込開口
３３　　　　　　　吸気連通口
４０　　　　　　　集塵容器
４１ａ　　　　　　上部開口
４１ｂ　　　　　　周面
４３　　　　　　　流入口
５０　　　　　　　当接部
５１　　　　　　　位置決部
【図１】
2004089379.tif 000003
【図２】
2004089379.tif 000004
【図３】
2004089379.tif 000005
【図４】
2004089379.tif 000006
【図５】
2004089379.tif 000007